(57)【要約】【課題】作業者の注意力に依存することなく、誤作業が防止できる梱包用緩衝部材および梱包箱を提供する。【解決手段】側面部３１ａ〜３１ｄと、側面部３１ａ〜３１ｄの底の開口を閉じる底面部と、側面部３１ａ〜３１ｄの上の開口を開閉可能に閉じる蓋部３２ａ〜３２ｄとを有する梱包箱３０内に収容される被包装物２５への衝撃を緩衝させる梱包用緩衝部材１Ａ、１Ｂにおいて、梱包箱３０内に正規方向に収容された際に、梱包箱３０の内蓋部３２ａ、３２ｃに設けられた開口部３３ａ、３３ｂに嵌入される突起２１を設けた。突起２１は、同一平面上に形成された他の箇所よりも梱包箱３０の材質分だけ高く形成されている。【選択図】        図６
2004307035.tif 000002
【特許請求の範囲】
【請求項１】
側面部と、前記側面部の底の開口を閉じる底面部と、前記側面部の上の開口を開閉可能に閉じる蓋部とを有する梱包箱内に収容される被包装物への衝撃を緩衝させる梱包用緩衝部材において、
前記梱包箱内に正規方向に収容され、前記蓋部を閉じた際に、前記梱包箱の蓋部に設けられた開口部に嵌入される突起を設けたことを特徴とする梱包用緩衝部材。
【請求項２】
前記突起は、同一平面上に形成された他の部分よりも高く、かつ前記梱包箱の材質分以下の高さに形成されていることを特徴とする請求項１記載の梱包用緩衝部材。
【請求項３】
前記突起は、端部に設けられていることを特徴とする請求項１又は２記載の梱包用緩衝部材。
【請求項４】
前記梱包用緩衝部材は、上下非対称に形成されていることを特徴とする請求項１から請求項３のいずれか一項に記載の梱包用緩衝部材。
【請求項５】
側面部と、前記側面部の底の開口を閉じる底面部と、前記側面部の上の開口を開閉可能に閉じる蓋部とを有し、被包装物を梱包用緩衝部材を用いて梱包する梱包箱において、
前記梱包用緩衝部材が正規方向に収容され、前記蓋部を閉じた際に、前記梱包用緩衝部材に設けられた突起が嵌入される開口部を前記蓋部に設けたことを特徴とする梱包箱。
【発明の詳細な説明】
【０００１】
【発明の属する技術分野】
本発明は、梱包用緩衝部材および梱包箱に関する。
【０００２】
【従来の技術】
従来、梱包箱内に収容される被包装物への衝撃を緩衝させる梱包用緩衝部材が提案されている（特許文献１）。図１は、特許文献１記載の梱包用緩衝部材を説明するための図である。この梱包用緩衝部材１０２は、内層容器であるウエハボックス１０４を挟んで下方に一の梱包用緩衝部材１０２を配置し、上方に他の梱包用緩衝部材１０２を配置した状態で、ウエハボックス１０４を図示しない外層容器内に保持し、ウエハボックス１０４に加えられる衝撃を緩衝して、ウエハボックス１０４内の被搬送物であるウエハの損傷を防止するものである。
【０００３】
この梱包用緩衝部材１０２には、ウエハボックス１０４の上端部が嵌合して収容される収容凹部１２２が形成されている。また、基体の外周面には、緩衝突起１２４が、基体と一体成形により突設されている。この従来の梱包用緩衝部材１０２によれば、簡単な作業でウエハボックス１０４をダンボール箱１０１内に収容して梱包できるので、梱包に際して特別に熟練した注意力や体力及び大勢の人手を必要としないというものである。
【０００４】
【特許文献１】
特開平２００３−２６２３２号公報
【発明が解決しようとする課題】
しかしながら、特許文献１記載のように、上下が対称形状の梱包用緩衝部材であれば、作業者は上下方向を気にすることなく作業を行うことができるが、梱包用緩衝部材が上下非対称形状の場合には、作業者が上下の方向を間違えないようにするために刻印を押すなどをして目視で確認できるように工夫しなければならなかった。このため、誤作業を防止するには、作業者の注意力に依存することとなっていた。
【０００５】
そこで、本発明は上記従来技術の問題点を解決し、作業者の注意力に依存することなく、作業者の誤作業を防止することができる梱包用緩衝部材および梱包箱を提供することを目的とする。
【０００６】
【課題を解決するための手段】
上記課題を解決するために、請求項１記載の梱包用緩衝部材は、側面部と、前記側面部の底の開口を閉じる底面部と、前記側面部の上の開口を開閉可能に閉じる蓋部とを有する梱包箱内に収容される被包装物への衝撃を緩衝させる梱包用緩衝部材において、前記梱包箱内に正規方向に収容され、前記蓋部を閉じた際に、前記梱包箱の蓋部に設けられた開口部に嵌入される突起を設けたことを特徴とする。
【０００７】
請求項１記載の発明によれば、梱包用緩衝部材が梱包箱内に正規方向に収容され、梱包箱の蓋部を閉じた際には、梱包用緩衝部材に設けられた突起が蓋部の開口部に嵌入され、蓋部を最後まで閉めることができる。一方、梱包用緩衝部材が正規方向と反対方向に収容されて、蓋部を閉じた際には、梱包用緩衝部材に設けられた突起が蓋部の開口部に嵌入されないため、突起の高さ分の逃げ場が無くなる。このため、蓋部が最後まで閉まることはない。従って、作業者の注意力に依存することなく、誤作業を防止することができる。
【０００８】
また、本発明は、請求項２に記載のように、請求項１記載の梱包用緩衝部材において、前記突起は、同一平面上に形成された他の部分よりも高く、かつ前記梱包箱の材質分以下の高さに形成されていることを特徴とする。請求項２記載の発明によれば、突起は、同一平面上に形成された他の部分よりも高く、かつ梱包箱の材質分以下の高さに形成されているので、蓋部を閉じたい際に、蓋部に設けられた開口部に嵌入された突起が蓋部の外形面より突出することはない。
【０００９】
また、本発明は、請求項３に記載のように、請求項１又は２記載の梱包用緩衝部材において、前記突起は、端部に設けられていることを特徴とする。
【００１０】
また、本発明は、請求項４に記載のように、請求項１から請求項３のいずれか一項に記載の梱包用緩衝部材において、前記梱包用緩衝部材は、上下非対称に形成されていることを特徴とする。
【００１１】
また、請求項５の梱包箱は、側面部と、前記側面部の底の開口を閉じる底面部と、前記側面部の上の開口を開閉可能に閉じる蓋部とを有し、被包装物を梱包用緩衝部材を用いて梱包する梱包箱において、前記梱包用緩衝部材が正規方向に収容され、前記蓋部を閉じた際に、前記梱包用緩衝部材に設けられた突起が嵌入される開口部を前記蓋部に設けたことを特徴とする。
【００１２】
請求項５記載の発明によれば、梱包用緩衝部材が梱包箱内に正規方向に収容され、梱包箱の蓋部を閉じた際には、梱包用緩衝部材に設けられた突起が蓋部の開口部に嵌入され、蓋部を最後まで閉めることができる。一方、梱包用緩衝部材が正規方向と反対方向に収容されて、蓋部を閉じた際には、梱包用緩衝部材に設けられた突起が蓋部の開口部に嵌入されないため、突起の高さ分の逃げ場が無くなる。このため、蓋部が最後まで閉まることはない。従って、作業者の注意力に依存することなく、誤作業を防止することができる。
【００１３】
【発明の実施の形態】
以下、本発明を適用した実施の形態について、図面を参照しながら説明する。図２は、本実施の形態に係る梱包用緩衝部材の斜視図である。図３は、梱包用緩衝部材を裏側から見た図である。図４は、本実施の形態に係る梱包用緩衝部材に被包装物を収納する状態を示す図である。図５は図２におけるＡ−Ａ断面図を示している。
【００１４】
図６は、被包装物を梱包用緩衝部材を用いて梱包箱内に収容させた状態を示す図であり、梱包用緩衝部材を梱包箱に正規の方向に収容した状態を示している。図７は、梱包用緩衝部材を梱包箱に正規の方向とは逆方向に収容した状態を示している。
【００１５】
梱包用緩衝部材１は、発泡ポリスチレンや発泡ポリオレフィン等の緩衝性を有する材料で形成されている。図４において、符号２５は被包装物を示している。図４に示すように、この梱包用緩衝部材１は、被包装物２５を挟んで下方に一の梱包用緩衝部材１Ａを配置し、上方に他の梱包用緩衝部材１Ｂを配置した状態で、被包装物２５をそれぞれに形成された収容部６に収容し保持し、被包装物２５に加えられる衝撃を緩衝して、被包装物２５の損傷を防止するものである。なお、梱包用緩衝部材１Ａと、梱包用緩衝部材１Ｂとほぼ同じ構成であるため、梱包用緩衝部材１Ｂの詳細な説明を省略する。
【００１６】
図２及び３に示すように、梱包用緩衝部材１Ａには、側壁部２と、側壁部２の周縁に沿って、側壁部２と垂直に四方を取り囲むように立設された周壁部４ａ、４ｂ、４ｃ、４ｄとにより、被包装物２５の矩形の側端部を挿入する収容部６が形成されている。収容部６を取り囲む側壁部２および周壁部４ａ、４ｂ、４ｃ、４ｄの外壁には、収容箱との間で落下時の衝撃等を吸収するための支持突起１６ａ、１６ｂ、１７ａ、１７ｂ、１８ａ、１８ｂ、１９ａ、１９ｂ、２０ａ、２０ｂが形成されている。
【００１７】
側壁部２の外壁には、支持突起１６ａ、１６ｂ、１７ａ、１７ｂが突設されている。支持突起１６ａ、１６ｂは円形状に形成され、支持突起１７ａ、１７ｂは矩形に形成されている。側方の周壁部４ｂ、４ｄには、支持突起１８ａ、１８ｂが突設されている。
【００１８】
支持突起１８ａは、支持突起１８ｂよりも厚く形成されている。つまり、この梱包用緩衝部材１Ａは、上下非対称に形成されている。これは、支持突起１８ａ側が梱包箱３０に収容された際に下部側に配置されるため、外部からの衝撃をより緩衝させる必要があるためである。梱包用緩衝部材１Ａが後述する梱包箱３０に収容された際には、支持突起１６ａ、１６ｂ、１７ａ、１７ｂ、１８ａ、１８ｂの先端は、梱包箱３０の内側面に当接するようになっている。
【００１９】
被包装物２５の当接する周壁部４ｃには、被包装物２５の内底面に当接するように形成された第ニの支持突起１９ａ、１９ｂが設けられている。また、被包装物２５の当接する周壁部４ａには、被包装物２５の内天井面に当接するように形成された第三の支持突起２０ａ、２０ｂが設けられている。
【００２０】
第ニの支持突起１９ａ、１９ｂおよび第３の支持突起２０ａ、２０ｂは、先細に形成されている。より詳細には、第ニの支持突起１９ａ、１９ｂおよび第三の支持突起２０ａ、２０ｂは、側壁部２側の側面１９ｃ、１９ｄ、２０ｃ、２０ｄが、先端に向かうにしたがって、収容部６の開口側の方向、言い換えると、側壁部２から離間する方向に斜めに形成されている。
【００２１】
この梱包用緩衝部材１Ａにおいて、被包装物２５が収容部６に挿入されて梱包箱３０に収容された状態で、被包装物２５が梱包箱３０に対して、下方に移動する方向に衝撃が加えられて、第ニの支持突起１９ａ、１９ｂに被包装物２５による荷重や衝撃が加わった際に、第ニの支持突起１９ａ、１９ｂは、側面１９ｃ、１９ｄが斜めに形成されているために、収容部６の開口側に若干逃げるように変形する。
【００２２】
過大な衝撃力が加わった際には、第ニの支持突起１９ａ、１９ｂが周壁部４ｃを支え、周壁部４ｃの破損を防ぐと共に、梱包用緩衝部材１Ａが収容部６の開口側に倒れて被包装物２５が収容部６から脱落することを防ぐ。
【００２３】
被包装物２５が梱包箱３０に対して、上方に移動する方向に衝撃が加えられた場合には、第三の支持突起２０ａ、２０ｂの作用によって、周壁部４ａの破損を防ぐと共に、梱包用緩衝部材１Ａが収容部６の開口側に倒れて被包装物２５が収容部６から脱落することを防ぐ。
【００２４】
上記各支持突起は、梱包用緩衝部材１Ａが梱包箱３０に配置された状態で梱包箱３０の内側に当接し、梱包用衝撃部材１Ａを梱包箱３０内に支持するようになっており、被包装物２５を弾性的に支持して外力を緩衝するようになっている。これにより、輸送時、外側から梱包箱３０に衝撃力が加えられたときは、梱包箱３０の内部で一対の梱包用緩衝部材の弾性的な収縮によって、衝撃力およびこれに起因する振動が緩衝され、被包装物２５は損傷無く保護される。
【００２５】
次に、側方の周壁部４ｄに設けられた突起２１について説明する。突起２１は、梱包箱３０内に正規方向に収容され、梱包箱３０の内蓋部３２ａ、３２ｃを閉じた際に、後述する梱包箱３０の蓋部３２ａ、３２ｃに設けられた開口部３３ａ、３３ｂに嵌入されるものである。なお、本実施の形態では、この突起２１を楕円の形成しているが、突起２１の形状は矩形や他の形状にしてもよい。
【００２６】
図５において、符号１８ｂは支持突起、符号２１は突起を示している。突起２１は、同一平面上に形成された支持突起１８ｂ（他の部分）の高さＸ１よりも高く、かつ梱包箱３０の材質分Ｘ２以下の高さ（Ｘ３）に形成されている。これにより、内蓋部３２ａ、３２ｃを閉じた際に、内蓋部３２ａ、３２ｂに設けられた開口部３３ａに嵌入された突起２１が内蓋部３２ａ、３２ｂの外形面より突出することはない。
【００２７】
次に、図６を用いて、梱包箱３０について説明する。図６に示す梱包箱３０は、一枚の段ボールから折り上げられる。図６において、３１ａ〜３１ｄは、梱包箱３０の周壁を構成する各側面部で夫々折り目を介して一体に連なっている。各側面部３１ａ〜３１ｄの上辺には、側面部３１ａ〜３１ｄの上の開口を開閉可能に閉じる蓋部３２ａ〜３２ｄが連設されている。蓋部３２ａ、３２ｃが内蓋部であり、蓋部３２ｂ、３２ｄが外蓋部である。また、図示は省略するが、各側面部３１ａ〜３１ｄの下辺には、側面部３１ａ〜３１ｄの底の開口を閉じる底面部が連設されている。
【００２８】
内蓋部３２ａ、３２ｃには、梱包用緩衝部材１Ａ、１Ｂが正規方向に収容され前記内蓋部３２ａ、３２ｃを閉じた際に、梱包用緩衝部材１Ａ、１Ｂに設けられた突起２１が嵌入される開口部３３ａ、３３ｂが設けられている。
【００２９】
次に、梱包用緩衝部材１Ａ、１Ｂを用いて被包装物２５を梱包箱３０に梱包する際の作業について説明する（図６及び図７参照）。まず、図６を用いて、包装用緩衝部材１を梱包箱３０に正規の方向に収容した場合について説明する。被包装物２５を梱包箱３０内に梱包する場合、梱包用緩衝部材１Ａの収容部６に被包装物２５の下端部を嵌合させて被包装物２５を梱包用緩衝部材１Ａに載置する（図３参照）。
【００３０】
次に、被包装物２５の上端部に包装用梱包部材１Ｂの収容部６を嵌合させ、被包装物２５の上端部に梱包用緩衝部材１Ｂを被せるように取り付ける。このようにして、被包装物２５を上端部及び下端部から一対の梱包用緩衝部材１Ａ、１Ｂで挟みこむように取り付けた後、突起２１が上側にくるようにして、梱包箱３０に収容する。
【００３１】
この状態で、梱包箱３０の上端開口部の内蓋部３２ａ、３２ｃを閉じれば、突起２１は内蓋部３２ａ、３２ｃの開口部３３ａ、３３ｂに嵌入され、内蓋部３２ａ、３２ｃを最後まで閉めることができ、外蓋部３２ｂ、３２ｄを閉じることにより、梱包作業が終了する。
【００３２】
次に、図７を用いて、梱包用緩衝部材を梱包箱に正規の方向とは逆に収容した場合について説明する。図７に示すように、梱包用緩衝部材１を梱包箱３０に正規の方向とは逆方向に収容した状態では、梱包箱３０の上端開口部の内蓋部３２ａ、３２ｃを閉じても、突起２１が内蓋部３２ａ、３２ｃの開口部３３ａ、３３ｂに嵌入されないため、内蓋部３２ａ、３２ｃを最後まで閉めることができない。
【００３３】
このため、外蓋部３２ｂ、３２ｄも最後まで閉じることができない。よって、作業者は梱包用緩衝部材１が正規とは逆方向に梱包箱３０内に収容されていることに気が付き、誤作業を防止することができる。
【００３４】
以上本実施の形態によれば、作業者の注意力に依存することなく、作業者の誤作業を防止することができる。よって、作業者が方向を目視で確認する必要がなくなる。また、簡単な作業で被包装物２５を梱包箱内に収容して梱包できるので、梱包に際して特別に熟練した注意力は必要でない。非対称形状の緩衝材にとっては非常に有効なものである。
【００３５】
以上、本発明の一実施の形態を説明した。本発明は上記実施の形態に限定されるものではなく、本発明の要旨の範囲内において種々の変形実施が可能である。
【００３６】
【発明の効果】
以上説明した本発明によれば、作業者の注意力に依存することなく、作業者の誤作業を防止することができる梱包用緩衝部材および梱包箱を提供することができる。
【図面の簡単な説明】
【図１】特許文献１記載の梱包用緩衝部材を説明するための図である。
【図２】本実施の形態に係る梱包用緩衝部材の斜視図である。
【図３】梱包用緩衝部材を裏側から見た図である。
【図４】梱包用緩衝部材に被包装物を収納する状態を示す図である。
【図５】図２におけるＡ−Ａ断面図である。
【図６】梱包用緩衝部材を梱包箱に正規の方向に収容した状態を示した図である。
【図７】梱包用緩衝部材を梱包箱に正規の方向とは逆方向に収容した状態を示した図である。
【符号の説明】
１  梱包用緩衝部材
６  収容部
１６ａ、１６ｂ、１７ａ、１７ｂ、１８ａ、１８ｂ、１９ａ、１９ｂ、２０ａ、２０ｂ  支持突起
２１  突起
２５  被包装物
３０  梱包箱
３１  側面部
３２  蓋部
３３  開口部
【図１】
2004307035.tif 000003
【図２】
2004307035.tif 000004
【図３】
2004307035.tif 000005
【図４】
2004307035.tif 000006
【図５】
2004307035.tif 000007
【図６】
2004307035.tif 000008
【図７】
2004307035.tif 000009